(57)【特許請求の範囲】
【請求項１】
土砂投入口となる上部開口と底面開口を囲む浮体式側枠と、この浮体式側枠の前端及び後端に設けられた開閉扉と、上記浮体式側枠の下部内面に設けられた、上記上部開口に対して上記底面開口を７０〜８０％に狭めるための所望の幅の遮蔽体とより成ることを特徴とする水中の汚濁防止装置。
【請求項２】
土砂投入口となる上部開口と底面開口を囲む浮体式側枠と、この浮体式側枠の前端及び後端に設けられた開閉扉と、上記浮体式側枠の下部内面に設けられた、上記上部開口に対して上記底面開口を７０〜８０％に狭める格子とより成ることを特徴とする水中の汚濁防止装置。
【請求項３】
土砂投入口となる上部開口と底面開口を囲む浮体式側枠と、この浮体式側枠の前端及び後端に設けられた開閉扉と、上記浮体式側枠の下部内面に設けられた、所望の幅の遮蔽体と、この遮蔽体間に接続した格子とより成り、上記遮蔽体と格子により上記上部開口に対して上記底面開口が７０〜８０％に狭められることを特徴とする水中の汚濁防止装置。
【請求項４】
土砂投入口となる上部開口と底面開口を囲む浮体式側枠と、この浮体式側枠の前端及び後端に設けられた開閉扉と、上記浮体式側枠の下部内面に設けられた、上記上部開口に対して上記底面開口を７０〜８０％に狭めるチェーンとより成ることを特徴とする水中の汚濁防止装置。
【請求項５】
土砂投入口となる上部開口と底面開口を囲む浮体式側枠と、この浮体式側枠の前端及び後端に設けられた開閉扉と、上記浮体式側枠の下部内面に設けられた、所望の幅の遮蔽体と、この遮蔽体間に接続したチェーンとより成り、上記遮蔽体とチェーンにより上記上部開口に対して上記底面開口が７０〜８０％に狭められることを特徴とする水中の汚濁防止装置。
【請求項６】
上記チェーンがフロートを有し浮力を有することを特徴とする請求項４または５記載の水中の汚濁防止装置。
【請求項７】
上記格子がフロート格子であり、チェーンを介して上記浮体式側枠に連結されていることを特徴とする請求項２記載の水中の汚濁防止装置。
【発明の詳細な説明】
【０００１】
【発明の属する技術分野】
本発明は水中の汚濁防止装置、特に、水中に土砂等を投棄する場合、特に水域の埋立等の場合に水中を汚濁させないようにする水中の汚濁防止装置に関するものである。
【０００２】
【従来の技術】
従来、護岸、埋立等のための土砂投棄に際して公害防止その他の要請から水を汚濁させない手段としては工事区域全体を覆うようにシルトプロテクター等の汚濁防止膜を敷設して、工事区域以外の水域へのにごりの流出を防ぐようにしている。
【０００３】
【発明が解決しようとする課題】
然しながら、このような従来の手段では下記のような欠点がある。
【０００４】
１）工事区域が広くなると汚濁防止膜の敷設範囲が広範になり設置コストが高くなる。
【０００５】
２）コストを低減するために防止膜の敷設範囲を土運船の近傍周辺の狭い範囲に限定すると、土砂を投棄した時に土運船近傍の水位は瞬時に低下するため、汚濁防止膜が土運船の方向に接近することから、土運船の操船に支障をきたす恐れがある。
【０００６】
３）防止膜は流れがあると煽られて、垂直の自立状態の維持が難しく濁りの防止効果が小さくなる。
【０００７】
４）汚濁防止膜は破れやすい。
【０００８】
５）海草や貝などの付着が著しいため、防止枠の浮力を維持するためには付着生物の除去などメインテナンスが度々必要である。
【０００９】
６）長期間使用すると材料の劣化が著しく、長期間の使用には取り替えが必要となるため、コスト的にも高くなる。
【００１０】
本発明は上記の欠点を除くようにしたものである。
【００１１】
【課題を解決するための手段】
本発明の水中の汚濁防止装置は、土砂投入口となる上部開口と底面開口を囲む浮体式側枠と、この浮体式側枠の前端及び後端に設けられた開閉扉と、上記浮体式側枠の下部内面に設けられた、上記上部開口に対して上記底面開口を７０〜８０％に狭めるための所望の幅の遮蔽体とより成ることを特徴とする。
【００１２】
また、本発明の水中の汚濁防止装置は、土砂投入口となる上部開口と底面開口を囲む浮体式側枠と、この浮体式側枠の前端及び後端に設けられた開閉扉と、上記浮体式側枠の下部内面に設けられた、上記上部開口に対して上記底面開口を７０〜８０％に狭める格子とより成ることを特徴とする。
【００１３】
また、本発明の水中の汚濁防止装置は、土砂投入口となる上部開口と底面開口を囲む浮体式側枠と、この浮体式側枠の前端及び後端に設けられた開閉扉と、上記浮体式側枠の下部内面に設けられた、所望の幅の遮蔽体と、この遮蔽体間に接続した格子とより成り、上記遮蔽体と格子により上記上部開口に対して上記底面開口が７０〜８０％に狭められることを特徴とする。
【００１４】
また、本発明の水中の汚濁防止装置は、土砂投入口となる上部開口と底面開口を囲む浮体式側枠と、この浮体式側枠の前端及び後端に設けられた開閉扉と、上記浮体式側枠の下部内面に設けられた、上記上部開口に対して上記底面開口を７０〜８０％に狭めるチェーンとより成ることを特徴とする。
【００１５】
【発明の実施の形態】
以下図面によって本発明の実施例を説明する。
【００１６】
本発明の第１の実施例においては、図１〜図３に示すように、土砂を運搬して所定の区域に土砂を投入するための底開式土運船１の両側を鋼製の浮体式側枠２，２によって取り囲み、土運船１の前後においてこれら側枠２，２の底面間を連結底板３によって互いに連絡せしめると共に、上記側枠２，２の前端及び後端に夫々開閉扉４，４を設け、この開閉扉４，４と上記側枠２，２間に形成される部分に土運船１を位置せしめる。
【００１７】
また、上記側枠２，２の下面に沿って上記側枠２，２間に形成される底面開口５を７０〜８０％に狭めるための所望の幅の遮板６，６を上記側枠２，２の下部内面に沿って設ける。
【００１８】
本発明の水中の汚濁防止装置は上記のような構成であるから、図３に示すように土運船１の底面から土砂７を水底８に向かって投入した場合土砂７の落下速度が上記遮板６，６によって７０〜８０％に制限され、水底面に衝突したときの土砂による汚濁拡散が減少されるようになる。
【００１９】
なお、土砂の落下速度は遮板によって制限された側枠間の開口率によって変化し、水理模型実験の結果からは７０〜８０％のとき最大の低減効果を示した。５０％以下の開口率では土砂が遮板を通過するとき遮板の先端が破損する恐れがあるので好ましくない。
【００２０】
また、遮板の上面には土砂が落下しやすいように内側に下がる適度な傾斜をつけるのが好ましい。
【００２１】
本発明の第２の実施例においては、図４に示すように上記遮板６を用いず上記側枠２，２間に形成される開口５を上記側枠２，２の底部内面間に接続した縦格子９と横格子１０によって７０〜８０％に狭めるようにする。
【００２２】
なお、本発明の第３の実施例においては、図５に示すように上記遮板６を用い、上記格子をこの遮板６に接続せしめる。
【００２３】
上記第２，第３の実施例によれば、土運船１より落下した土砂は一端格子の抵抗により落下速度が緩和されるため水底面に衝突したときの土砂の拡散が減少し、水底面での濁りの拡散を抑制することが可能となる。
【００２４】
本発明の第４の実施例においては、図６に示すように上記第２の実施例における上記縦格子９及び横格子１０を浮力を有するフロート格子１２とし、これをチェーン１３によって側枠２に連結し、常時はフロート格子１２が上方に浮動している状態ならしめる。
【００２５】
本発明の第５の実施例においては、図７に示すように上記遮板６を用い、上記フロート格子１２をチェーン１３によって遮板６に連結するようにする。
【００２６】
この第４，第５の実施例によれば落下土砂と格子１２との衝突が緩和され、格子１２が保護され、また、濁りの発生が少なくなる。
【００２７】
本発明の第６の実施例にいては、図８に示すように上記第２の実施例における縦格子９及び横格子１０の代わりにチェーン１４を用いる。
【００２８】
本発明の第７の実施例においては図９に示すように上記遮板６を用い、上記チェーン１４を遮板６に取り付けるようにする。
【００２９】
この実施例における作用効果は、上記第３の実施例と略同一である。
【００３０】
本発明の第８の実施例においては、図１０に示すように上記第６の実施例におけるチェーン１４にフロート１５を取り付け常時はチェーン１４が上方に浮動している状態ならしめる。
【００３１】
なお、本発明の第９の実施例においては、図１１に示すように上記遮板６に取り付けたチェーン１４にフロート１５を取り付ける。
【００３２】
上記第６〜第９の実施例における作用効果は、夫々上記第４，第５の実施例と略同一である。
【００３３】
図１２及び図１３は側枠の開口率を７５％に制限した本発明の水中の汚濁防止装置を水深４０ｍの水域で用いた場合と用いない場合の濁度を示す線図であって、縦軸は水深、横軸は土砂投入地点から水平方向外方に離れた点までの距離、線図に付された数字は濁度をｐｐｍで示したものである。
【００３４】
図１２と図１３の比較から明らかなように、本発明の水中の汚濁防止装置を用いた場合、５０〜１００ｍ地点での濁度は約５０％低減できる。
【００３５】
【発明の効果】
上記のように本発明の水中の汚濁防止装置によれば、土砂投入時の水底面での濁りの拡散を抑制できる大きな利益がある。
【図面の簡単な説明】
【図１】本発明の水中の汚濁防止装置の第１の実施例の縦断正面図である。
【図２】図１に示す水中の汚濁防止装置の平面図である。
【図３】図１に示す水中の汚濁防止装置の縦断側面図である。
【図４】本発明の水中の汚濁防止装置の第２の実施例の平面図である。
【図５】本発明の水中の汚濁防止装置の第３の実施例の平面図である。
【図６】本発明の水中の汚濁防止装置の第４の実施例の平面図である。
【図７】本発明の水中の汚濁防止装置の第５の実施例の平面図である。
【図８】本発明の水中の汚濁防止装置の第６の実施例の平面図である。
【図９】本発明の水中の汚濁防止装置の第７の実施例の平面図である。
【図１０】本発明の水中の汚濁防止装置の第８の実施例の平面図である。
【図１１】本発明の水中の汚濁防止装置の第９の実施例の平面図である。
【図１２】本発明の水中の汚濁防止装置の効果を示す線図である。
【図１３】本発明の水中の汚濁防止装置を有しない場合の比較線図である。
【符号の説明】
１  底開式土運船
２  浮体式側枠
３  連結底板
４  開閉扉
５  底面開口
６  遮板
７  土砂
８  水底
９  縦格子
１０  横格子
１２  フロート格子
１３  チェーン
１４  チェーン
１５  フロート
【図１】
0004018170.tif 000002
【図２】
0004018170.tif 000003
【図３】
0004018170.tif 000004
【図４】
0004018170.tif 000005
【図５】
0004018170.tif 000006
【図６】
0004018170.tif 000007
【図７】
0004018170.tif 000008
【図８】
0004018170.tif 000009
【図９】
0004018170.tif 000010
【図１０】
0004018170.tif 000011
【図１１】
0004018170.tif 000012
【図１２】
0004018170.tif 000013
【図１３】
0004018170.tif 000014